(57)【特許請求の範囲】
【請求項１】
台紙と、
前記台紙上に着脱可能に保持される複数の装飾見本部材とを備え、
前記台紙は、祭壇と前記祭壇の周辺とを表示する祭壇見本図を含み、
前記祭壇見本図は、前記祭壇と前記祭壇の周辺との状態を示す図および／または写真として、定点に対する遠近の相違を、縮尺を変えることによって表示しており、
前記装飾見本部材は、葬儀において前記祭壇と前記祭壇の周辺に配置される装飾を表示する装飾見本図を含み、
前記複数の装飾見本部材は、第１の装飾見本部材と第２の装飾見本部材とを含み、
前記第１の装飾見本部材と前記第２の装飾見本部材においては、同一の装飾が異なる縮尺で表示されており、そして
前記祭壇見本図は、遠近法に基づいて表示されおり、且つ
前記装飾見本図は、前記祭壇見本図内における最大の縮尺と最小の縮尺の間のいずれかの縮尺によって表示されている、表示具。
【請求項２】
前記装飾見本部材は、透明シールとして形成されている、請求項１に記載の表示具。
【請求項３】
複数の前記祭壇見本図を備え、
前記複数の祭壇見本図は、それぞれ異なる様式の祭壇を示す祭壇見本図である、請求項１または請求項２に記載の表示具。
【発明の詳細な説明】
【技術分野】
【０００１】
本発明は、一般的には表示具に関し、特定的には、祭壇を模式的に表示する表示具に関する。
【背景技術】
【０００２】
葬儀においては、一般的に、参列者席の前方に棺と祭壇とが置かれ、棺や祭壇とその周囲は生花などで装飾される。棺や祭壇、その周辺の装飾は、葬儀の様式、すなわち、神式、仏式、キリスト教式、その他の様式によって異なり、また、１つの様式内でも喪主の要望によって異なり得る。棺や祭壇とその周辺の装飾の程度や生花の配置等は、葬儀の参列者に与える印象に影響を及ぼすし、葬儀の費用を左右する。そこで、葬儀を執り行う場合には、予め葬儀業者が喪主と打ち合わせを行い、どのような装飾を施すのかを決定することが通常行われている。
【０００３】
例えば、特開２０００−２５５１８５号公報（特許文献１）には、葬儀の祭壇システムにおける生花の発注に係わる注文記入シートが記載されている。この注文記入シートには祭壇システムの画像が表示されている。祭壇システムの画像の下側には、仕様の異なる３種類の生花の画像が表示されている。生花の画像群の左右には、祭壇システムに飾られる生花の供花者名および生花の価格を記入する升目状の記入欄群が設けられている。各記入欄の配置は、祭壇システムの画像内の生花の配置から類推しやすいように相似に形成されている。使用者は、祭壇システムの画像の下側に陳列された仕様の異なる３種類の生花の画像の中から注文したい生花を択一的に選ぶことにより、各生花の価格を考慮しつつ祭壇システムの仕様を決める。
【０００４】
このように、従来、供花するときに用いるための、祭壇の画像が表示された注文記入シートが提案されている。
【０００５】
また、葬儀に関するものではないが、建築の分野では特開２０００−２８４６８４号公報（特許文献２）に、敷地、建物、外構造園のそれぞれの、または全体的な機能やデザインについて検討するために、敷地図と、建物図と外構造園のパーツシールとを用いて住宅全体図の平面図と正面図を作成することが記載されている。種々のパーツシールは、敷地図と建物図に対し実物間とほぼ同じ比率で縮小し標準化されている。
【０００６】
また、特開２０００−１５８８５４号公報（特許文献３）には、建築物の外観、間取り、玄関あるいはキッチン、バスルーム等の建築物の構成要素のイメージがそれぞれ少なくとも複数印刷された見本群と、これらの見本群の中から選択された個々の見本が固定される台紙とを備える建築プランニングセットが記載されている。台紙には、見本の形状とほぼ同じ形状の枠が印刷されていることが記載されている。また、見本には、建築物を外側から観察した状態や建築物を内側から観察した状態が印刷されていることが記載されている。
【先行技術文献】
【特許文献】
【０００７】
【特許文献１】特開２０００−２５５１８５号公報
【特許文献２】特開２０００−２８４６８４号公報
【特許文献３】特開２０００−１５８８５４号公報
【発明の概要】
【発明が解決しようとする課題】
【０００８】
しかしながら、特許文献１に記載の注文記入シートには、一般化された一種類の祭壇の正面図が描かれている。生花については、異なる仕様の生花が３種類、予め注文記入シート上に描かれている。供花の配置も注文記入シート上に描かれている。このように、祭壇や祭壇周辺の装飾の種類や配置が予め描かれた、一般化されたひとつの正面図だけでは、使用者の要求に基づいて装飾された祭壇を視覚化するためには足りないことがある。
【０００９】
また、葬儀の計画は、建築の内装のプランニング等と比較して、一刻を争うものである。そのため、使用者の要求に基づいて装飾された祭壇を、建築の場合と比較してさらに容易に視覚化することが求められる。また、社葬の場合や、個人葬であっても多数の供花が置かれる場合には、特許文献２に記載されているように、敷地図とパーツシールに平面図と正面図とがあっても、これらの図に慣れない使用者にとっては容易に視覚化できない場合がある。
【００１０】
特許文献３に記載の建築プランニングセットには、建築物を外側から観察した状態や建築物を内側から観察した状態が、遠近感を感じさせるように印刷されている見本がある。しかしながら、この建築プランニングセットでは、種々の見本は、建物図に対し実物間とほぼ同じ比率で縮小されておらず、また、台紙には建築物が表されてもいないので、台紙上に見本を並べても、使用者の要求に基づいて装飾された状態を視覚化することは容易でない。
【００１１】
そこで、この発明の目的は、使用者の要求に基づいて装飾された祭壇を簡単に、迅速に、視覚化することが可能な表示具を提供することである。
【課題を解決するための手段】
【００１２】
この発明に従った表示具は、台紙と、複数の装飾見本部材とを備える。装飾見本部材は、台紙上に着脱可能に保持されるものである。
【００１３】
台紙は、祭壇と祭壇の周辺とを表示する祭壇見本図を含む。祭壇見本図は、祭壇と祭壇の周辺との状態を示す図および／または写真として、定点に対する遠近の相違を、縮尺を変えることによって表示している。
【００１４】
装飾見本部材は、葬儀において祭壇と祭壇の周辺に配置される装飾を表示する装飾見本図を含む。複数の装飾見本部材は、第１の装飾見本部材と第２の装飾見本部材とを含む。第１の装飾見本部材と第２の装飾見本部材においては、同一の装飾が異なる縮尺で表示されている。
【００１５】
台紙には、ある定点、例えば、参列者席側のある位置から見たときの祭壇と祭壇周辺の状態が、図および／または写真によって祭壇見本図として表示されている。台紙に表示される祭壇と祭壇周辺には、装飾が施されていてもよいし、装飾が施されていなくてもよい。また、台紙の祭壇見本図は、定点に対する遠近の相違を、縮尺を変えることによって表示している。このようにすることにより、使用者に遠近感を感じさせることができる。
【００１６】
一方、台紙上に着脱可能に保持される装飾見本部材は、葬儀において祭壇と祭壇の周辺に配置される装飾を表示する装飾見本図を含む。第１の装飾見本部材と第２の装飾見本部材においては、同一の装飾が異なる縮尺で表示されている。
【００１７】
葬儀の依頼者、すなわち、喪主と葬儀業者は、打ち合わせをしながら、装飾見本部材を台紙上に貼り付けることができる。台紙の祭壇見本図は使用者に遠近感を感じさせるように表示されているので、使用者は、装飾見本部材の配置を、鉛直方向と水平方向だけでなく、奥行き方向にも、台紙上で様々に試すことができる。
【００１８】
さらに、複数の装飾見本部材は、第１の装飾見本部材と第２の装飾見本部材とを含み、第１の装飾見本部材と第２の装飾見本部材においては、同一の装飾が異なる縮尺で表示されている。社葬の場合や、個人葬であっても多数の供花が置かれる場合など、同一の装飾を、水平方向に並べて配置するだけでなく、奥行き方向において、参列者に近い位置と遠い位置との両方に配置する必要がある場合がある。このような場合には、第１の装飾見本部材と第２の装飾見本部材とを台紙上に並べて配置することによって、装飾された祭壇をより臨場的に表示することができる。
【００１９】
このようにすることにより、使用者の要求に基づいて装飾された祭壇を簡単に、迅速に、視覚化することが可能な表示具を提供することができる。
【００２０】
この発明に従った表示具においては、装飾見本図は、祭壇見本図内における最大の縮尺と最小の縮尺との間のいずれかの縮尺によって表示されていることが好ましい。
【００２１】
このようにすることにより、使用者の要求に基づいて装飾された祭壇を簡単に、迅速に、より臨場感を持たせて視覚化することが可能な表示具を提供することができる。
【００２２】
この発明に従った表示具においては、祭壇見本図は、遠近法に基づいて表示されていることが好ましい。
【００２３】
遠近法とは、一定の視点から見た物体および空間を、遠近感や立体感、すなわち、遠近の距離感を表現するように平面上に表現する方法を意味する。厳密な意味で視点からの投射線（視線）が一点に集中するものに限られない。
【００２４】
このようにすることにより、使用者の要求に基づいて装飾された祭壇を簡単に、迅速に、より臨場感を持たせて視覚化することが可能な表示具を提供することができる。
【００２５】
この発明に従った表示具においては、装飾見本部材は、透明シールとして形成されていることが好ましい。
【００２６】
このようにすることにより、複数の装飾見本部材が重ねて台紙上に貼り付けられていても、どの装飾見本部材が台紙上に貼り付けられているのかを確認することが容易になる。
【００２７】
この発明に従った表示具は、複数の祭壇見本図を備えることが好ましい。複数の祭壇見本図は、それぞれ異なる様式の祭壇を示す祭壇見本図であることが好ましい。
【００２８】
葬儀には、例えば、神式、仏式、キリスト教式、その他の様式など、複数の様式がある。しかしながら、葬儀業者は通常、葬儀の依頼者、すなわち、喪主と実際に会って打ち合わせをするまで、どのような様式で葬儀が執り行われるのか知らない。そこで、表示具は、複数の祭壇見本図を備え、複数の祭壇見本図は、それぞれ異なる様式の祭壇を示す祭壇見本図であることにより、執り行われる葬儀の様式が打ち合わせをしながら明らかになったとき、対応する祭壇を表示することが容易になる。
【発明の効果】
【００２９】
以上のように、この発明によれば、使用者の要求に基づいて装飾された祭壇を簡単に、迅速に、視覚化することが可能な表示具を提供することができる。
【図面の簡単な説明】
【００３０】
【図１】本発明の一つの実施の形態の祭壇表示具の全体を模式的に示す図である。
【図２】本発明の一つの実施の形態の祭壇表示具の複数の台紙を収納する台紙収納部を模式的に示す図である。
【図３】本発明の一つの実施の形態の祭壇表示具の複数の台紙を収納する台紙収納部の別の例を模式的に示す図と、台紙収納部を図３の（Ａ）に示す矢印Ｂの方向から見た図（Ｂ）である。
【図４】本発明の一つの実施の形態の祭壇表示具の複数の装飾見本部材を収納する装飾見本部材収納部を模式的に示す図（Ａ）と、装飾見本部材収納部を図４の（Ａ）に示す矢印Ｂの方向から見た図（Ｂ）である。
【図５】本発明の一つの実施の形態の祭壇表示具の台紙上に装飾見本部材が貼り付けられた状態を模式的に示す図である。
【発明を実施するための形態】
【００３１】
以下、この発明の実施の形態を図面に基づいて説明する。
【００３２】
図１に示すように、この発明の一つの実施の形態の祭壇表示具１は、台紙１００と、複数の装飾見本部材２１０を含む装飾見本部材群２００とを備える。
【００３３】
台紙１００は、祭壇１１１と祭壇１１１の周辺とを表示する祭壇見本図１１０を含む。祭壇見本図１１０は、祭壇１１１と祭壇１１１の周辺とを参列者席１１２側から見たときの状態を示す図および／または写真として、定点に対する遠近の相違を、縮尺を変えることによって表示している。一般的に、葬儀において、祭壇１１１と祭壇１１１の周辺の装飾は、参列者席１１２側から見られることを想定してなされる。そこで、台紙１００には、ある定点、この実施形態においては例えば、参列者席１１２側のある位置から見たときの祭壇１１１と祭壇１１１の周辺の状態が、図および／または写真によって祭壇見本図１１０として表示されている。
【００３４】
使用者に遠近感を感じさせる祭壇見本図１１０は、遠近法に基づいて表示されている。遠近法とは、一定の視点から見た物体および空間を、遠近感や立体感、すなわち、遠近の距離感を表現するように平面上に表現する方法を意味する。厳密な意味で視点からの投射線（視線）が一点に集中するものに限られない。祭壇見本図１１０は、図のみによって表示されていてもよいし、写真のみによって表示されていてもよく、また、図と写真とを組み合わせて表示されていてもよい。祭壇見本図１１０は、最小の縮尺、すなわち、参列者席１１２側から最も遠い最遠部における縮尺が２７分の１であり、最大の縮尺、すなわち、参列者席１１２側から最も近い最近部における縮尺が１３分の１であるように表示されている。図１に示す祭壇見本図１１０においては、背面壁部１１３が最遠部であり、参列者席１１２が最近部である。
【００３５】
装飾見本部材群２００は、装飾見本部材２１０と装飾見本部材保持部２２０とを含む。装飾見本部材２１０は、葬儀において祭壇１１１と祭壇１１１の周辺に配置される装飾を表示する装飾見本図として、例えば、供花見本図大２１１ａ、供花見本図小２１１ｂ、花額見本図２１２ａ、花額見本図２１２ｂ、棺前供花見本図２１３、などを含む。装飾見本部材２１０は、その他、脇花の見本を示す脇花見本図や棺の見本を示す棺見本図を含んでいてもよい。装飾見本図は、図のみによって表示されていてもよいし、写真のみによって表示されていてもよく、また、図と写真とを組み合わせて表示されていてもよい。
【００３６】
供花見本図大２１１ａと供花見本図小２１１ｂとは第１と第２の装飾見本部材の一例である。供花見本図大２１１ａと供花見本図小２１１ｂとは、同一の供花を、異なる縮尺で表示したものである。
【００３７】
これらの装飾見本図は、祭壇見本図１１０内において、最遠部における縮尺と最近部における縮尺との間のいずれかの縮尺によって表示されている。装飾見本図は、例えば、２７分の１と１３分の１との間の縮尺で表示されている。また、供花見本図大２１１ａは例えば２５分の１の縮尺によって表示され、供花見本図小２１１ｂは例えば２６分の１の縮尺によって表示されている。
【００３８】
装飾見本部材２１０はまた、例えば、同一の縮尺によって表示された同一の供花見本図大２１１ａ、供花見本図小２１１ｂなどをそれぞれ複数、含んでいてもよい。また例えば、図１に示すように、同一の縮尺で表示された複数の花額見本図２１２ａと花額見本図２１２ｂとは、それぞれ、異なる外観を有していてもよい。
【００３９】
装飾見本部材２１０の装飾見本図は、例えば透明シールによって形成され、装飾見本部材保持部２２０上に、着脱可能に保持されている。装飾見本部材２１０は、接着剤や磁石等によって装飾見本部材保持部２２０上に保持されていてもよい。
【００４０】
図２に示すように、祭壇表示具１は、複数の台紙１００を収納する台紙収納部１２０を備えていてもよい。台紙収納部１２０は、例えば３つの台紙収納袋１２１を含む。それぞれの台紙収納袋１２１は袋状に形成され、開口部１２２を有する。複数の台紙収納袋１２１は、連結部１２３によって連結されている。連結部１２３は可撓性を有する材質によって形成されている。
【００４１】
それぞれの台紙収納袋１２１内に台紙１００が１つずつ収納される。台紙１００は、開口部１２２を通して台紙収納袋１２１に出し入れされる。複数の台紙１００には、それぞれ、祭壇見本図１１０が表示されている。それぞれの台紙１００に表示される祭壇見本図１１０は、それぞれ異なる様式の祭壇１１１を示す祭壇見本図１１０である。異なる様式の祭壇１１１は、例えば、神式、仏式、キリスト教式、その他の様式の祭壇であってもよいし、例えば神式の祭壇のうちの異なる様式の祭壇であってもよい。
【００４２】
３つの台紙収納袋１２１は連結部１２３で連結され、連結部１２３を折り曲げると、ほぼ１つの台紙１００程度の大きさに畳むことができる。このようにすることにより、祭壇表示具１を携帯することが容易になる。また、複数の祭壇見本図１１０のうちから、必要なものを取り出して依頼者に示すことが容易になる。さらに、台紙収納袋１２１を透明な材質で形成することによって、祭壇見本図１１０のうちから必要なものを、台紙収納袋１２１から取り出さずに依頼者に示すことができる。
【００４３】
図３に示すように、祭壇表示具１は、複数の台紙１００を収納する別の形態の台紙収納部１３０を備えていてもよい。台紙収納部１３０は、例えば３つの台紙収納袋１３１を含む。それぞれの台紙収納袋１３１は袋状に形成され、開口部１３２を有する。それぞれの台紙収納袋１３１は袋状に形成されており、台紙１００が１つずつ収納される。台紙１００は、開口部１３２を通して台紙収納袋１３１に出し入れされる。３つの台紙収納袋１３１は連結部１３３によって連結され、ほぼ台紙１００の１つ程度の大きさの冊子状に構成されている。
【００４４】
このようにすることにより、祭壇表示具１を携帯することが容易になる。また、祭壇表示具１を使用するとき、必要な台紙１００を依頼者に示すことが容易になる。さらに、台紙収納袋１３１を透明な材質で形成することによって、祭壇見本図１１０のうちから必要なものを、台紙収納袋２２１から取り出さずに依頼者に示すことができる。
【００４５】
図４に示すように、祭壇表示具１は、複数の装飾見本部材２１０を収納する装飾見本部材収納部２３０を備えていてもよい。装飾見本部材収納部２３０は、例えば６つの見本部材収納袋２３１を含む。それぞれの見本部材収納袋２３１は袋状に形成されており、装飾見本部材２１０が保持された状態で、装飾見本部材保持部２２０が１つずつ収納される。装飾見本部材保持部２２０は、開口部２３２を通して見本部材収納袋２３１に出し入れされる。６つの見本部材収納袋２３１は連結部２３３によって連結され、ほぼ１つの装飾見本部材保持部２２０と同じ大きさの冊子状に構成されている。このようにすることにより、祭壇表示具１を携帯することが容易になる。また、祭壇表示具１を使用するとき、必要な装飾見本部材２１０を依頼者に示すことが容易になる。
【００４６】
次に、以上のように構成された祭壇表示具１の使用方法について説明する。
【００４７】
まず、祭壇表示具１の使用者は、図２に示す台紙収納部１２０または図３に示す台紙収納部１３０に収納されている台紙１００から、執り行う葬儀の宗派や趣向に対応する様式の祭壇見本図１１０が表示されている台紙１００を選択する。次に、図４に示す装飾見本部材収納部２３０に収容されている複数の装飾見本部材群２００から、執り行う葬儀に使用する装飾を表示されている装飾見本部材２１０を選択する。
【００４８】
図５に示すように、装飾見本部材２１０は、使用者によって装飾見本部材保持部２２０から剥離され、台紙１００上に貼り付けられる。装飾見本部材２１０は、この実施形態においては、透明シールによって形成され、台紙１００上にそのまま貼り付けられるように構成されている。また、装飾見本部材２１０が磁石を有し、一方、台紙１００が磁性体によって形成され、磁力で装飾見本部材２１０が台紙１００上に貼り付けられてもよい。
【００４９】
装飾見本部材２１０は、台紙１００上に着脱可能に配置される。使用者は、装飾見本部材２１０の配置を、鉛直水平の方向だけでなく、奥行き方向にも、台紙１００上で様々に試し、装飾された祭壇１１１を臨場的に視覚化する。
【００５０】
以上のように、祭壇表示具１は、台紙１００と、複数の装飾見本部材２１０とを備える。装飾見本部材２１０は、台紙１００上に着脱可能に保持されるものである。
【００５１】
台紙１００は、祭壇１１１と祭壇１１１の周辺とを表示する祭壇見本図１１０を含む。祭壇見本図１１０は、祭壇１１１と祭壇１１１の周辺との状態を示す図および／または写真として、定点に対する遠近の相違を、縮尺を変えることによって表示している。
【００５２】
装飾見本部材２１０は、葬儀において祭壇１１１と祭壇１１１の周辺に配置される装飾を表示する装飾見本図を含む。複数の装飾見本部材２１０は、供花見本図大２１１ａと供花見本図小２１１ｂとを含む。供花見本図大２１１ａと供花見本図小２１１ｂにおいては、同一の装飾が異なる縮尺で表示されている。
【００５３】
台紙１００には、ある定点、例えば、参列者席１１２側のある位置から見たときの祭壇１１１と祭壇１１１の周辺の状態が、図および／または写真によって祭壇見本図１１０として表示されている。台紙１００に表示される祭壇１１１と祭壇１１１の周辺には、装飾が施されていてもよいし、装飾が施されていなくてもよい。また、台紙１００の祭壇見本図１１０は、定点に対する遠近の相違を、縮尺を変えることによって表示している。このようにすることにより、使用者に遠近感を感じさせることができる。
【００５４】
一方、台紙１００上に着脱可能に保持される装飾見本部材２１０は、葬儀において祭壇１１１と祭壇１１１の周辺に配置される装飾を表示する装飾見本図を含む。供花見本図大２１１ａと供花見本図小２１１ｂとにおいては、同一の装飾が異なる縮尺で表示されている。
【００５５】
葬儀の依頼者、すなわち、喪主と葬儀業者は、打ち合わせをしながら、装飾見本部材２１０を台紙１００上に貼り付けることができる。台紙１００の祭壇見本図１１０は使用者に遠近感を感じさせるように表示されているので、使用者は、装飾見本部材２１０の配置を、鉛直方向と水平方向だけでなく、奥行き方向にも、台紙１００上で様々に試すことができる。
【００５６】
さらに、複数の装飾見本部材２１０は、第１と第２の装飾見本部材として供花見本図大２１１ａと供花見本図小２１１ｂとを含み、供花見本図大２１１ａと供花見本図小２１１ｂとにおいては、同一の装飾が異なる縮尺で表示されている。社葬の場合や、個人葬であっても多数の供花が置かれる場合など、同一の装飾を、水平方向に並べて配置するだけでなく、奥行き方向において、参列者に近い位置と遠い位置との両方に配置する必要がある場合がある。このような場合には、供花見本図大２１１ａと供花見本図小２１１ｂとを台紙１００上に並べて配置することによって、装飾された祭壇１１１をより臨場的に表示することができる。
【００５７】
また、特に、例えばホールのような大型の箱型の空間においては、参列者の正面に配置される祭壇と祭壇周辺のみならず、参列者の左右に配置される供花等についても配置や装飾を考慮する必要のある場合がある。このような場合には、定点を、参列者席側のある位置ではなく、参列者席の脇のある位置や、祭壇側のある位置、祭壇や参列者席の上方のある位置とする。そして、祭壇見本図は、その定点からの遠近を、縮尺を変えることによって表示することにより、祭壇とその周辺や参列者席の周辺などの必要な空間を、臨場感をもって忠実に再現することができる。
【００５８】
このようにすることにより、使用者の要求に基づいて装飾された祭壇１１１を簡単に、迅速に、視覚化することが可能な祭壇表示具１を提供することができる。
【００５９】
また、祭壇表示具１においては、装飾見本図は、祭壇見本図１１０内における最大の縮尺と最小の縮尺との間のいずれかの縮尺によって表示されている。
【００６０】
このようにすることにより、使用者の要求に基づいて装飾された祭壇１１１を簡単に、迅速に、より臨場感を持たせて視覚化することが可能な祭壇表示具１を提供することができる。
【００６１】
また、祭壇表示具１においては、祭壇見本図１１０は、遠近法に基づいて表示されている。
【００６２】
このようにすることにより、使用者の要求に基づいて装飾された祭壇１１１を簡単に、迅速に、より臨場感を持たせて視覚化することが可能な祭壇表示具１を提供することができる。
【００６３】
また、祭壇表示具１においては、装飾見本部材２１０は、透明シールとして形成されている。
【００６４】
このようにすることにより、複数の装飾見本部材２１０が重ねて台紙１００上に貼り付けられていても、どの装飾見本部材２１０が台紙１００上に貼り付けられているのかを確認することが容易になる。
【００６５】
また、祭壇表示具１は、複数の祭壇見本図１１０を備える。複数の祭壇見本図１１０は、それぞれ異なる様式の祭壇１１１を示す。
【００６６】
このようにすることにより、執り行われる葬儀の様式が明らかになったとき、対応する祭壇１１１を表示することが容易になる。
【００６７】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【符号の説明】
【００６８】
１：祭壇表示具、１００：台紙、１１０：祭壇見本図、１１１：祭壇、１１３：背面壁部、２１１ａ：供花見本図大、２１１ｂ：供花見本図小、２１２ａ，２１２ｂ：花額見本図、２１３：棺前供花見本図。
【図１】
0005795857.tif 000002
【図２】
0005795857.tif 000003
【図３】
0005795857.tif 000004
【図４】
0005795857.tif 000005
【図５】
0005795857.tif 000006